(57)【要約】      （修正有）【課題】べとつき感がなく、乾燥を保つことができる男性股間用下着を提供する。【解決手段】Ｕ字形袋布、ゴム紐、腰帯、長方形布を有する男性股間用下着であって、Ｕ字形袋布１は左右同形の２枚１組で、形状は両端の幅が狭く、中央部の幅は広く、変形のＵ字形をなし、袋状である。着用時のＵ字形布袋の前部に該当する部分は開口部１ａとなり、後部は内部にゴム紐２の一端が縫合され、同形の２枚とも長方形布４の下部に縫合される。ゴム紐の他端はＵ字形袋布の中を通って他端の開口部から出て、２本とも腰帯３の前部に縫合される。長方形布の上端は腰帯の後部に縫合される。着用すると、２枚のＵ字形袋布は、左右の鼠蹊部を通って前後中間部ともゴム紐の伸縮性により持ち上げられ、Ｕ字形袋布は陰嚢と大腿の間にあって、双方の皮膚の接触を防ぎ、汗を吸収し皮膚は乾燥する。【選択図】図２
0003224787.tif 000002
【実用新案登録請求の範囲】
【請求項１】
腰帯、Ｕ字形袋布、ゴム紐、長方形布を有する男性股間用下着であって、Ｕ字形袋布は左右同形の２枚１組で、両端の幅が狭く、中央部は幅広く、幅の狭い一端を開口部とした袋縫いで中をゴム紐が通り、そのゴム紐の一端はＵ字形袋布の奥端の内側に縫合し、このＵ字形袋布の幅の狭い一端は長方形布の下端に縫合し、長方形布の上端は腰帯後部に縫合され、Ｕ字形袋布の中を通ったゴム紐の他端はＵ字形袋布の他端開口部から外へ出て腰帯の前部へ縫合することを特徴とする男性股間用下着
【考案の詳細な説明】
【技術分野】
【０００１】    本考案は、男性股間用下着に関する。特に陰嚢と大腿の皮膚の接触を防ぎ、股間の汗を吸収するＵ字形袋布を主体とする男性股間用下着に関する。
【背景技術】
【０００２】    男性股間部においては、陰嚢と大腿の皮膚が接触するため、発汗により蒸れやすく、乾燥を保ち、清潔を保つことが困難であった。そのため、多くの対処法が提案されてきた。
代表的には、円形にタスキを縫い合わせその中に男性の局部を入れ、さらに吸水性能を兼ねた緩衝材、仕切り布、垂れ幕などを取り付けた男性用補助下着が開示されている。（特許文献１）
【先行技術文献】
【特許文献】
【０００３】
【特許文献１】特開２０１０−７０８９８号公報
【考案の概要】
【考案が解決しようとする課題】
【０００４】    男性用股間部においては、陰嚢と大腿の皮膚は接触しているため、汗などで過湿になり易く、べとつき感が不快であり、乾燥や清潔を保つことが困難であった。
特許文献１に開示された男性用補助下着は、円形にタスキを縫い合わせその中に男性の局部を入れ前後にタスキを引き上げる形状であるため、タスキは股間鼠蹊部で捩じれて紐状になり、股ずれを起こしやすく不快を感じ、また陰嚢と大腿の皮膚との接触を完全に分離できるものではなく、過湿状態を防ぐものではなかった。これらの欠点を解消するために、さらに吸水性能を兼ねた緩衝材、陰嚢と陰茎の密着を防ぐ仕切り布、股ずれ防止の垂れ幕などを取り付けることを提案している。しかしこの結果、男性用補助下着の構造が複雑になり、製造工程が煩雑化し、かつ取り扱い難いものであった。
以上のように、男性股間部において、過湿を防ぎ、べとつき感がなく、乾燥と清潔を保ち、かつ、構造がシンプルで取り扱いもし易い男性股間用下着は存在しなかった。
本考案は上記問題点を解決することを課題とした。
【課題を解決するための手段】
【０００５】  本考案は、腰帯、Ｕ字形袋布、ゴム紐、長方形布を有する男性股間用下着であって、Ｕ字形袋布は、同形の２枚一組で、両端の幅が狭く、中央部は幅広く、前上端部が開口して、袋縫いとなっており、開口部の反対側の幅の狭い上端は長方形布の下端に縫合される。
ゴム紐は、前記Ｕ字形袋布の開口部に通され、Ｕ字形袋布内の内部後上端に縫合され、他端は前記Ｕ字形袋布の開口部から外に出て腰帯前部に縫合される。
腰帯は、腰部を周回し、後部中心にて長方形布の上端が縫合され、前部にてゴム紐の他端が腰帯に縫合される。
長方形布は、仙骨部にて腰帯とＵ字形袋布の上端とを連結している。
【考案の効果】
【０００６】  本考案のＵ字形袋布は、左右同形の２枚１組であり、前側（開口部）及び後側（縫合側）の間を股間の曲線に合わせたＵ字形を採用しているため、着用中、捩じれて紐状にならず、股間で常時平面を保ち、陰嚢と大腿の間にあって相互の皮膚の接触を防ぎ、汗を吸収し、皮膚の乾燥を保つので、着用すると極めて快適である。特に高温高湿時においては抜群の効果を発揮する。また、本考案の股間用下着を着用していても大小便の排泄には何ら支障はない。
また、本考案は少なくとも腰帯、Ｕ字形袋布、ゴム紐、長方形布で構成されればよく、単純な形状であるので着脱が容易であり、かつ一般的な材料が使用でき製作も容易であり、製造コストも安価である。
【図面の簡単な説明】
【０００７】
【図１】本考案の展開平面図
【図２】本考案の前上方斜視図
【図３】本考案の後上方斜視図
【図４】本考案を着用した時の正面図
【図５】本考案を着用した時の背面図
【考案を実施するための形態】
【０００８】  本考案は腰帯、Ｕ字形袋布、ゴム紐、長方形布を有する男性股間用下着である。
Ｕ字形袋布は、前開口部から後縫合側までの外縁形状がＵ字形であり、左右同形の２枚１組で、両端の幅が狭く、中央部の幅は広く、上部一端のみ開口した袋縫いとなっており、他端は長方形布の下端に縫合される。Ｕ字形袋布に用いる布は柔軟性、吸湿性に富んだものが望ましい。
ゴム紐は、前記Ｕ字形袋布の開口部の他端内部に縫合され、内部を貫通して開口部から外へ出て、腰帯前部に縫合され、ゴム紐の伸縮性によりＵ字形袋布を両端だけでなく中間からも持ち上げることになる。その結果、Ｕ字形袋布は陰嚢と大腿の間にあって股間に密着する如くになり、相互の皮膚の接触を防ぐ。
腰帯は、腰部を周回し、後部中心にて長方形布の上部が縫合され、開口部から出たゴム紐の端が腰帯前部に縫合される。形状・材質は環状のゴム紐でも、手で結合する形でも良い。
長方形布は、仙骨部にて、腰帯に縫合し、その下部には２枚のＵ字形袋布の端が縫合されている。長方形布の寸法は着用する人の体格にもよるが横３ｃｍ×縦７ｃｍ程度である。
【実施例】
【０００９】  以下、添付図面に従って実施例を紹介する。
図１に本考案の男性股間用下着の展開平面図を示す。
Ｕ字形袋布１は、前方開口部１ａから後方縫合部までＵ字形の縁を持ち、両端の幅が狭く、中央部の幅は広く、幅の狭い一端を開口部１ａとしてその他は袋縫いとし、柔らかい布を使った。左右同形２枚一組である。【００１０】  ゴム紐２は、前記Ｕ字形袋布１の開口部１ａからＵ字形袋布１の中を通って他端の縫合部１ｂに縫合される。開口部１ａから出たゴム紐２の端は腰帯３に縫合する。【００１１】  腰帯３は、例として２０ｍｍ幅の織ゴムを環状にして使い、後部中央に長方形布４の上端を縫合し、前部にて開口部１ａから出たゴム紐２の端を縫合する。【００１２】  長方形布４には、木綿の平織布を用い、横３ｃｍ×縦７ｃｍとした。仙骨部にて腰帯３と縫合し、長方形布４の下方にはＵ字形袋布１の縫合部１ｂが縫合されている。
上記のように市販の一般的な材料を用いて、極めて簡単に本考案の男性股間用下着を完成させた。【００１３】  上記、男性股間用下着を夏季の高温高湿時に試用し下記効果を確認した。
図４に示すように、Ｕ字形袋布１は捩じれて紐状にならず、股間で常時平面状を保ち、陰嚢と大腿の間にあって相互の皮膚の接触を防ぎ、汗を吸収し、皮膚の乾燥を保ち、極めて快適であった。また、大小便の排泄には何ら支障はなかった。
【符号の説明】
【００１４】    １    Ｕ字形袋布
１ａ  Ｕ字形袋布の開口部
１ｂ  Ｕ字形袋布の縫合部
２    ゴム紐
３    腰帯
４    長方形布
５    Ｕ字形袋布の中のゴム紐
【図１】
0003224787.tif 000003
【図２】
0003224787.tif 000004
【図３】
0003224787.tif 000005
【図４】
0003224787.tif 000006
【図５】
0003224787.tif 000007